(57)【特許請求の範囲】
【請求項１】
端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられたインナーハウジングと、前記インナーハウジングが内部に組み込まれるアウター端子と、を有してなるシールドコネクタであって、
前記インナーハウジングは、
仕切壁を間にして前記複数の端子収容室が分割して設けられ、かつ、前記仕切壁の縁に沿って可撓性を有して設けられたヒンジ部によって合体および分割可能に連結された２つの分割型端子収容部を有してなり、
前記２つの分割型端子収容部は、
合体状態では、前記仕切壁を間に挟んで、前記複数の端子収容室への前記インナー端子のセットを可能とする端子セット開口が設けられた側の面である端子セット面が重ね合わされることによって前記複数の端子収容室が前記仕切壁を含めた壁によって区画され、
分割状態では、互いの前記端子セット面が同方向に向けられた状態で前記仕切壁が前記端子セット面に対して起立され、かつ、前記複数の端子収容室が前記端子セット開口を横一列に並べた状態に配置され、
前記複数の端子収容室は、
内部に収容された前記インナー端子が前記端子セット開口から浮き上がって前記端子収容室から離脱されることを前記インナー端子に当接されることによって阻止する１次係止突起が設けられている
ことを特徴とするシールドコネクタ。
【請求項２】
前記仕切壁は、
前記２つの分割型端子収容部が合体された状態で、前記複数の端子収容室に収容された前記インナー端子が前記端子収容室の前記電線が挿通される電線挿通口から抜け出されることを前記インナー端子に当接されることによって阻止する複数の２次係止突起が設けられている
ことを特徴とする請求項１に記載のシールドコネクタ。
【請求項３】
前記端子セット開口は、
前記端子収容室を構成する壁の前端壁の内側から前記電線が挿通される電線挿通口まで連続された開口である
ことを特徴とする請求項１または２に記載のシールドコネクタ。
【発明の詳細な説明】
【技術分野】
【０００１】
本発明は、インナー端子のそれぞれを収容する複数の端子収容室が設けられたインナーハウジングを有してなるシールドコネクタに関する。
【背景技術】
【０００２】
従来、自動車等に搭載されるカーナビゲーション等の各種電装品の制御部に高周波の電気信号を伝送するため、高周波対応のシールド電線が用いられている。
シールド電線は、導電材からなる導体部の外周を被覆した絶縁被覆の外周をシールド層で覆った構造になっており、外表面に配置されたシールド層が外部からの電気的な影響を遮断することによって高周波の伝搬を可能としている。
【０００３】
また、シールド電線の電気的な接続にはシールドコネクタを用いる。シールドコネクタは、端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられたインナーハウジングと、前記インナーハウジングが内部に組み込まれるアウター端子と、を有してなる。
【０００４】
特許文献１には、端末部に端子（インナー端子）が取り付けられた複数の電線をシールド材および絶縁材を含む被覆材で外周を覆うことによって束ねられてなるシールドワイヤハーネス（シールド電線）の端子（インナー端子）のそれぞれを収容する複数の端子収容室が設けられたターミナルハウジング（インナーハウジング）と、ターミナルハウジング（インナーハウジング）が内部に組み込まれるハウジングカバーの内筒（アウター端子）と、を有してなるシールドコネクタが記載されている。
【０００５】
また、特許文献２には、複数の電線の端末部にそれぞれ取り付けられた端子金具（インナー端子）がホルダによって保持した状態でインナハウジング内に収容されるコネクタが記載されている。
【先行技術文献】
【特許文献】
【０００６】
【特許文献１】特開平６−３１０１９９号公報
【特許文献２】特開平１０−３２１２８０号公報
【発明の概要】
【発明が解決しようとする課題】
【０００７】
しかしながら、特許文献１に記載されたシールドコネクタ、あるいは、特許文献２に記載されたコネクタでは、複数の電線が束ねられてその外周を編組等のシールド材、および、絶縁被覆材等の被覆材によって被覆されたシールド電線は、シールド電線の端末部における複数の電線の露出部分が短い場合、すなわち、シールド電線の端末部における被覆材の除去領域が小さい場合、あるいは、電線の本数が多い場合、インナーハウジングの各端子収容室に端子をセットする作業が煩雑になってしまい、結果的に、生産性が低下してしまうという問題があった。
【０００８】
本発明は、上記に鑑みてなされたものであって、生産性を向上することができるシールドコネクタを提供することを目的とする。
【課題を解決するための手段】
【０００９】
上述した課題を解決し、目的を達成するために、本発明の請求項１に係るシールドコネクタは、端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられたインナーハウジングと、前記インナーハウジングが内部に組み込まれるアウター端子と、を有してなるシールドコネクタであって、前記インナーハウジングは、仕切壁を間にして前記複数の端子収容室が分割して設けられ、かつ、前記仕切壁の縁に沿って可撓性を有して設けられたヒンジ部によって合体および分割可能に連結された２つの分割型端子収容部を有してなり、前記２つの分割型端子収容部は、合体状態では、前記仕切壁を間に挟んで、前記複数の端子収容室への前記インナー端子のセットを可能とする端子セット開口が設けられた側の面である端子セット面が重ね合わされることによって前記複数の端子収容室が前記仕切壁を含めた壁によって区画され、分割状態では、互いの前記端子セット面が同方向に向けられた状態で前記仕切壁が前記端子セット面に対して起立され、かつ、前記複数の端子収容室が前記端子セット開口を横一列に並べた状態に配置され、前記複数の端子収容室は、内部に収容された前記インナー端子が前記端子セット開口から浮き上がって前記端子収容室から離脱されることを前記インナー端子に当接されることによって阻止する１次係止突起が設けられていることを特徴とする。
【００１１】
また、本発明の請求項２に係るシールドコネクタは、前記仕切壁が、前記２つの分割型端子収容部が合体された状態で、前記複数の端子収容室に収容された前記インナー端子が前記端子収容室の前記電線が挿通される電線挿通口から抜け出されることを前記インナー端子に当接されることによって阻止する複数の２次係止突起が設けられていることを特徴とする。
【００１２】
また、本発明の請求項３に係るシールドコネクタは、前記端子セット開口が、前記端子収容室を構成する壁の前端壁の内側から前記電線が挿通される電線挿通口まで連続された開口であることを特徴とする。
【発明の効果】
【００１３】
本発明の請求項１に係るシールドコネクタは、前記２つの分割型端子収容部が、前記互いの端子セット面が同方向に向けられた状態で前記仕切壁が前記端子セット面に対して起立され、かつ、前記複数の端子収容室が前記端子セット開口を横一列に並べた状態に配置されるので、前記複数のインナー端子は、前記端子セット面が向けられた一方向から前記端子収容室にそれぞれにセットすることができるので、前記複数の電線を若干屈曲させるだけで前記インナー端子のそれぞれを各端子収容室に容易にセットすることができ、結果的に、生産性を向上することができる。
【００１４】
本発明の請求項１に係るシールドコネクタは、前記複数の端子収容室が内部に収容された前記インナー端子が前記端子セット開口から浮き上がって前記端子収容室から離脱されることを、前記１次係止突起が前記インナー端子に当接されることによって阻止するので、前記端子セット面側が開口された状態で前記ヒンジ部を介して前記分割型端子収容部が可動されたとしても、前記インナー端子を前記端子収容室内に安定的に保持することができる。
【００１５】
本発明の請求項２に係るシールドコネクタは、前記２つの分割型端子収容部が合体された状態で、前記複数の端子収容室に収容された前記インナー端子が前記仕切壁に設けられた前記複数の２次係止突起によって前記端子収容室の前記電線挿通口から抜け出されることが阻止されるため、前記電線を引っ張るように外力が負荷された場合であっても、前記インナー端子を前記端子収容室内に安定的に保持することができ、しかも、前記２つの分割型端子収容部を合体させるという前記シールドコネクタの組立作業の一連の作業の中で、前記複数の２次係止突起によって前記インナー端子を前記複数の端子収容室内に一括して係止させることができる。
【００１６】
本発明の請求項３に係るシールドコネクタは、前記端子セット開口が前記前端壁の内側から前記電線挿通口までの連続して開口されているため、前記電線をより屈曲させずに前記インナー端子のそれぞれを各端子収容室に容易にセットすることができる。
【図面の簡単な説明】
【００１７】
【図１】図１は、（ａ）が、本発明の実施例に係るシールドコネクタの分解斜視図と、シールドコネクタの接続相手となる接続相手コネクタとを示した図であり、（ｂ）が、（ａ）に示したインナーハウジングを分割した状態を示した図である。
【図２】図２は、（ａ）が、シールドコネクタと接続相手コネクタとがコネクタ嵌合された状態の斜視図であり、（ｂ）が、（ａ）に示した図の上面図である。
【図３】図３は、（ａ）が、シールドコネクタと接続相手コネクタとがコネクタ嵌合されることによって構成された車載カメラの斜視図であり、（ｂ）が、（ａ）に示した車載カメラの側面図である。
【図４】図４は、（ａ）が、分割された状態のインナーハウジングの斜視図であり、（ｂ）が、（ａ）に示したインナーハウジングの背面図である。
【図５】図５は、（ａ）が、合体された状態のインナーハウジングの正面図であり、（ｂ）が、（ａ）に示したインナーハウジングのＡ−Ａ線断面図である。
【図６】図６は、シールド電線の各電線の端末部に取り付けられた各インナー端子が収容された状態のインナーハウジングの斜視図である。
【図７】図７は、（ａ）が、分割されたインナーハウジングにインナー端子が収容されている状態を示した図であり、（ｂ）が、（ａ）に示したインナーハウジングの１次係止突起周辺を拡大した図である。
【図８】図８は、シールド電線の各電線にインナー端子を取り付ける作業を説明するための図である。
【図９】図９は、分割した状態のインナーハウジングの４つの端子収容部のそれぞれに４本の電線の端末部に取り付けられた４つのインナー端子の各インナー端子を収容するまでの手順を示した図である。
【図１０】図１０は、（ａ）が、第１分割型端子収容部を起立された仕切壁に向けて回動させ、２つの係止爪部によって仕切壁を端子セット面側の開口を塞いだ状態で係止する様子を示した図であり、（ｂ）が、インナーハウジングを合体完了させた状態を示した図であり、（ｃ）が、アウター端子のアウター端子本体内所定位置にインナーハウジングを係止完了した状態を示した図である。
【発明を実施するための形態】
【００１８】
以下、図面を参照して、本発明に係るシールドコネクタの好適な実施例を詳細に説明する。
【実施例】
【００１９】
図１は、（ａ）が、本発明の実施例に係るシールドコネクタ１の分解斜視図と、シールドコネクタ１の接続相手となる接続相手コネクタ１００とを示した図であり、（ｂ）が、（ａ）に示したインナーハウジング１０を分割した状態を示した図である。図２は、（ａ）が、シールドコネクタ１と接続相手コネクタ１００とがコネクタ嵌合された状態の斜視図であり、（ｂ）が、（ａ）に示した図の上面図である。図３は、（ａ）が、シールドコネクタ１と接続相手コネクタ１００とがコネクタ嵌合されることによって構成された車載カメラ２００の斜視図であり、（ｂ）が、（ａ）に示した車載カメラ２００の側面図である。図４は、（ａ）が、分割された状態のインナーハウジングの斜視図であり、（ｂ）が、（ａ）に示したインナーハウジング１０の背面図である。図５は、（ａ）が、合体された状態のインナーハウジング１０の正面図であり、（ｂ）が、（ａ）に示したインナーハウジング１０のＡ−Ａ線断面図である。図６は、シールド電線７０の各電線８０の端末部に取り付けられた各インナー端子４０が収容された状態のインナーハウジング１０の斜視図である。図７は、（ａ）が、分割されたインナーハウジング１０にインナー端子４０が収容されている状態を示した図であり、（ｂ）が、（ａ）に示したインナーハウジング１０の１次係止突起３２周辺を拡大した図である。
なお、図１および図２は、部品取付部１２１が視えるように接続相手コネクタ１００のカメラカバー部１２２が取り外された状態になっている。
【００２０】
本発明の実施例に係るシールドコネクタ１は、例えば、車載カメラの電気的な接続に用いられるものである。
このため、シールドコネクタ１は、図３に示すように、不図示のカメラ機能部品が収容された接続相手コネクタ１００とコネクタ嵌合されることによって車載カメラを構成するようになっている。
【００２１】
シールドコネクタ１は、端末部にインナー端子４０が取り付けられた複数の電線をシールド材および絶縁材を含む被覆材で外周を覆うことによって束ねられてなるシールド電線７０のインナー端子４０のそれぞれを収容する複数の端子収容室３０が設けられたインナーハウジング１０と、インナーハウジング１０が内部に組み込まれるアウター端子５０と、アウター端子５０を収容し、接続相手コネクタ１００とのコネクタ嵌合部分が設けられたコネクタハウジング６０と、を有してなる。
【００２２】
シールド電線７０は、４本の電線８０が多層の被覆材によって覆われることによって構成されている。
より具体的には、図８に示すように、シールド電線７０は、４本の電線８０が束ねられるようにして金属箔７１で覆われ、その金属箔７１の外周がさらに導電性の材料で編み込まれた編組７２によって覆われ、さらに編組７２の外周が絶縁被覆材７３で覆われることによって構成されている。
【００２３】
このシールド電線７０は、４本の電線８０が端末部に露出され、その露出された４本の電線８０の端末部には、インナー端子４０が圧着されている。
【００２４】
インナー端子４０は、雌端子であり、図７に示すように、接続相手コネクタ１００の後述する雄端子が接続される筒状の相手端子接続部４１と、電線８０に圧着される圧着部４２と、相手端子接続部４１と圧着部４２との間を底壁が連続するように繋ぐ繋ぎ部４３と、を有してなる。
【００２５】
インナーハウジング１０は、絶縁性の樹脂材からなり、仕切壁１１を間にして４つの端子収容室３０が分割して設けられ、かつ、仕切壁１１の縁に沿って可撓性を有して設けられたヒンジ部１２によって合体および分割可能に連結された２つの分割型端子収容部２０を有してなる。
【００２６】
２つの分割型端子収容部２０は、合体状態では、仕切壁１１を間に挟んで、４つの端子収容室３０へのインナー端子４０のセットを可能とする端子セット開口３０ａが設けられた側の面である端子セット面２０Ｓが重ね合わされることによって４つの端子収容室３０が仕切壁１１を含めた壁によって区画され、分割状態では、互いの端子セット面２０Ｓが同方向に向けられた状態で仕切壁１１が端子セット面２０Ｓに対して起立され、かつ、４つの端子収容室３０が端子セット開口３０ａを横一列に並べた状態に配置される。
【００２７】
以下、便宜上、２つの分割型端子収容部２０を区別する場合、一方を第１分割型端子収容部２０Ａと称し、他方を第２分割型端子収容部２０Ｂと称す。
各分割型端子収容部２０は、一対の側壁２１ａ、２１ｂ、前端壁２２ａ、２２ｂ、底壁２３ａ、２３ｂ、を有し、端子セット面２０Ｓおよび電線挿通口３０ｂとなる側の面が開口された略箱型をなす分割本体部２４ａ、２４ｂによって本体部分が構成されている。
【００２８】
２つの分割型端子収容部２０は、仕切壁１１の一端部の両角に沿って２つの分割本体部２４ａ、２４ｂの側壁２１ａ、２１ｂの上端角が連結されており、この連結部分がヒンジ部１２になっている。
【００２９】
第１分割型端子収容部２０Ａは、分割本体部２４ａの一対の側壁２１ａ、２１ａのうち、ヒンジ部１２が連結されない側壁２１ａに、仕切壁１１を係止する２つの係止爪部２５、２５と、第２分割型端子収容部２０Ｂと合体した状態で第２分割型端子収容部２０Ｂの後述する２つのロックアーム２８、２８とそれぞれ係合する２つのロック突起２６、２６と、が設けられている。
【００３０】
２つの係止爪部２５、２５は、側壁２１ａの前端部および後端部の２箇所で、側壁２１ａの上端面からそれぞれ爪状に突出され、仕切壁１１を分割本体部２４ａの端子セット面２０Ｓ側の開口を塞いだ状態で係止するものである。
各係止爪部２５、２５は、仕切壁１１の板厚に略等しい幅で側壁２１ａの上端面から上方に向けて起立された起立壁部２５ａと、起立壁部２５ａから側壁２１ａの内側に向けて略直角に屈曲するように突出された爪部２５ｂと、を有してなる。
【００３１】
２つのロック突起２６、２６は、側壁２１ａの側面に２つのロックアーム２８、２８が嵌め込まれるように形成された２箇所の凹部２７、２７の底面からそれぞれ突出されるように設けられている。
【００３２】
第２分割型端子収容部２０Ｂは、分割本体部２４ｂの一対の側壁２１ｂ、２１ｂのうち、ヒンジ部１２連結されない側壁２１ｂに、２つのロックアーム２８、２８が設けられている。
【００３３】
２つのロックアーム２８、２８は、側壁２１ｂの上端面からそれぞれ片状に突出され、第１分割型端子収容部２０Ａの２つのロック突起２６、２６と係合するものである。
各ロックアーム２８、２８は、側壁２１ｂの上端面から片状に突出された片状部２８ａと、ロック突起２６を嵌め込み可能に片状部２８ａに形成された開口である突起嵌め込み開口２８ｂと、を有してなる。
【００３４】
各分割型端子収容部２０は、図６に示すように、底壁２３ａ、２３ｂの外表面に平面部分２９が形成されており、２つの分割型端子収容部２０が分割状態では、各分割型端子収容部２０の平面部分２９が作業テーブル等の平面上にインナーハウジング１０を載置することによって、図４に示すように、各分割型端子収容部２０の端子セット面２０Ｓが同方向に向けられた状態で仕切壁１１が端子セット面２０Ｓに対して略直立した状態で保持される。
【００３５】
各端子収容室３０は、分割本体部２４ａ、２４ｂを形成する一対の側壁２１ａ、２１ｂと、前端壁２２ａ、２２ｂと、底壁２３ａ、２３ｂと、これら分割本体部２４ａ、２４ｂによって形成された収容空間を２つの端子収容室３０に区画する隔壁３１と、表裏両面によって各分割型端子収容部２０の端子セット面２０Ｓ側の開口を塞ぐ仕切壁１１と、によって区画されるようになっている。
このため、各分割型端子収容部２０の端子セット面２０Ｓ側の開口が仕切壁１１によって塞がれていない状態では、端子収容室３０を構成する壁の前端壁２２ａ、２２ｂの内側から電線挿通口３０ｂまで連続された開口が端子セット開口３０ａになっている。
【００３６】
なお、前端壁２２ａ、２２ｂには、各端子収容室３０に収容されたインナー端子４０に対応した位置に接続相手コネクタ１００の不図示の雄端子が挿通されるための２つの端子挿入口１３が形成されている。
【００３７】
また、各端子収容室３０は、図４および図７に示すように、側壁２１ａ、２１ｂ、あるいは、隔壁３１から突出された１次係止突起３２が設けられている。
【００３８】
１次係止突起３２は、端子収容室３０の内部に収容されたインナー端子４０が端子セット開口３０ａから浮き上がって端子収容室３０から離脱されることをインナー端子４０に当接されることによって阻止するものである。
この１次係止突起３２は、端子収容室３０にインナー端子４０が収容された状態で、インナー端子４０の繋ぎ部４３の上端縁面４３ａに干渉するように突出されており、インナー端子４０が端子収容室３０から浮き上がって端子挿入口１３から離脱されることを阻止するようになっている。
【００３９】
より具体的には、１次係止突起３２は、端子収容室３０内に収容されたインナー端子４０の繋ぎ部４３の上端縁面４３ａに向かい合ってインナー端子４０が浮き上がることを当接することによって阻止する当接面３２ｂが形成されている。
【００４０】
また、１次係止突起３２は、端子挿入口１３側の面に端子挿入口１３から端子収容室３０内にインナー端子４０を誘導し易いように傾斜された端子ガイド面３２ａが形成されている。
このため、インナー端子４０は、端子挿入口１３から子ガイド面３２ａを伝って１次係止突起３２を容易にのり越えて端子収容室３０内に収容される。
【００４１】
仕切壁１１は、板状をなす壁本体部１１ａと、インナー端子４０が電線挿通口３０ｂから抜け出すことを阻止する４つの２次係止突起１１ｂと、を有してなる。
【００４２】
壁本体部１１ａは、表裏の各面によって２つの分割型端子収容部２０の開口された端子セット面２０Ｓを塞ぐことができる矩形状をなしている。
【００４３】
４つの２次係止突起１１ｂは、２つの分割型端子収容部２０が合体された状態で、４つの端子収容室３０に収容されたインナー端子４０が電線８０が挿通される電線挿通口３０ｂから抜け出されることをインナー端子４０に当接されることによって阻止するものである。
【００４４】
各２次係止突起１１ｂは、端子収容室３０に収容されたインナー端子４０が電線挿通口３０ｂから抜け出すように動いた場合、インナー端子４０に当接されることによってこれを阻止する当接面１１ｂｂが形成されている。
この当接面１１ｂｂは、各端子収容室３０に収容されたインナー端子４０の相手端子接続部４１の端面４１ａ、より具体的には、相手端子接続部４１の電線挿通口側に向いた端面４１ａに向かい合うように配置された面である。
【００４５】
２次係止突起１１ｂは、２つの分割型端子収容部２０の各端子収容室３０に収容されたインナー端子４０の位置に対応して壁本体部１１ａの表裏両面に２つずつ設けられている。
【００４６】
アウター端子５０は、インナーハウジング１０の外周を覆いつつ、シールド電線７０の露出された編組７２に接続される端子であり、板状金属部材がプレス加工等を施されることによって所定の形状に形成される。
このアウター端子５０は、インナーハウジング１０の外周を覆う部分となるアウター端子本体５１と、シールド電線７０の編組７２に圧着される部分となるシールド圧着部５２と、を有してなる。
【００４７】
アウター端子本体５１は、インナーハウジング１０の外郭に対応した略角筒状をなし、筒内の所定位置にインナーハウジング１０が係止されるようになっている。
また、アウター端子本体５１は、接続相手コネクタ１００の後述する雄端子に電気的に接続されるようになっている。
【００４８】
シールド圧着部５２は、アウター端子本体５１の底壁に連続した連結部を介してアウター端子本体５１と底壁で連結され、一対のバレル片５２ａが底壁の両側から起立するように設けられている。
【００４９】
コネクタハウジング６０は、絶縁性の樹脂材からなり、アウター端子５０の外周を囲うようにフード状に形成されたフード部６１と、電線引き出し口６０ａを封止するためのシール部材Ｓを保持収容するシール部材保持収容部６２と、接続相手コネクタ１００の後述するコネクタ部１１０に設けられた被ロック部１１１にロックするロックアーム部６３有してなる。
このようなコネクタハウジング６０は、インナー端子４０およびアウター端子５０を装着されたシールド電線７０のアウター端子５０がフード部６１内に収容され、シール部材保持収容部６２にシール部材Ｓがセットされ、リアホルダ６４が電線引き出し口６０ａ側から装着されるようになっている。
【００５０】
接続相手コネクタ１００は、図３に示すように、シールドコネクタ１とコネクタ嵌合される部分となるコネクタ部１１０と、不図示のカメラ機能部品が収容される部分となるカメラ収容部１２０と、を有してなる。
【００５１】
コネクタ部１１０は、筒状をなし、嵌合口に先端を向けるようにして、インナー端子４０に接続される不図示の複数の雄端子が保持収容されている。
このコネクタ部１１０は、コネクタハウジング６０のロックアーム部６３がロックする被ロック部１１１が設けられている。
【００５２】
カメラ収容部１２０は、カメラ機能部品を取り付ける部品取付部１２１と、部品取付部１２１を囲うとともにレンズ１２２ａが設けられたカメラカバー部１２２と、を有してなる。
【００５３】
次に、図８−図１０を用いて、シールドコネクタ１の組立手順について説明する。
図８は、シールド電線７０の各電線８０にインナー端子４０を取り付ける作業を説明するための図である。図９は、分割した状態のインナーハウジング１０の４つの端子収容部３０のそれぞれに４本の電線８０の端末部に取り付けられた４つのインナー端子４０の各インナー端子４０を収容するまでの手順を示した図である。図１０は、（ａ）が、第１分割型端子収容部２０Ａを起立された仕切壁１１に向けて回動させ、２つの係止爪部２５、２５によって仕切壁１１を端子セット面２０Ｓ側の開口を塞いだ状態で係止する様子を示した図であり、（ｂ）が、インナーハウジング１０を合体完了させた状態を示した図であり、（ｃ）が、アウター端子５０のアウター端子本体５１内所定位置にインナーハウジング１０を係止完了した状態を示した図である。
【００５４】
まず、作業者は、シールド電線７０の各電線８０にインナー端子４０を取り付ける。
ここで、作業者は、シールド電線７０の端末部の絶縁被覆材７３を除去し（図８（ａ）参照）、露出された編組７２を絶縁被覆材７３の外周に重なるように折り返し（図８（ｂ）、図８（ｃ）参照）、露出された金属箔７１を電線８０が露出されるように除去し（図８（ｃ）、図８（ｄ）参照）、露出された４本の電線８０の端末部の絶縁被覆材８２を除去し導体部８１を露出し（図８（ｅ）参照）、４本の電線８０の端末部にインナー端子４０を取り付ける（図８（ｆ）参照）
【００５５】
次に、作業者は、分割した状態のインナーハウジング１０の４つの端子収容部のそれぞれに４本の電線８０の端末部に取り付けられた各インナー端子４０を収容する（図９（ａ）―（ｃ）参照）
ここで、作業者は、各分割型端子収容部２０の底壁２３ａ、２３ｂの平面部分を載置面として分割されたインナーハウジング１０を作業テーブル等の平面上に載置する。
これにより、２つの分割型端子収容部２０は、互いの端子セット面２０Ｓが同方向に向けられた状態で仕切壁１１が端子セット面２０Ｓに対して起立され、かつ、４つの端子収容室３０が端子セット開口３０ａを横一列に並べた状態に配置される（図９（ａ）参照）。
このため、４つのインナー端子４０は、端子セット面２０Ｓが向けられた一方向から各端子収容室３０にセットすることができる。
【００５６】
また、各分割型端子収容部２０は、端子セット面２０Ｓがまだ仕切壁１１にとって塞がれていない開口された状態になっているため、各端子収容室３０は、端子セット開口３０ａが前端壁２２ａ、２２ｂから電線挿通口３０ｂまでの連続して開口されているため、電線８０を若干屈曲させるだけでインナー端子４０を各端子収容室３０に容易にセットすることができる。
【００５７】
このように各端子収容室３０に収容された各インナー端子４０は、１次係止突起３２によって、端子収容室３０内から端子セット開口３０ａ側に浮き上がって、端子セット開口３０ａから離脱されることが阻止される。
このため、この後の組立作業中に、端子セット面２０Ｓ側が開口された状態でヒンジ部１２を介して各分割型端子収容部２０が可動されたとしても、各インナー端子４０は端子収容室３０内に安定的に保持される。
【００５８】
次に、作業者は、インナーハウジング１０を合体させる（図１０（ａ）、図１０（ｂ）参照）。
ここで、作業者は、第１分割型端子収容部２０Ａを起立された仕切壁１１に向けて回動させ、２つの係止爪部２５、２５によって仕切壁１１を端子セット面２０Ｓ側の開口を塞いだ状態で係止する（図１０（ａ）参照）。
【００５９】
その後、仕切壁１１が係止された状態の第１分割型端子収容部２０Ａと、第２分割型端子収容部２０Ｂとを２つのロック突起２６、２６と２つのロックアーム２８、２８とによってロックすることによって２つの分割型端子収容部２０が合体完了される。
このように２つの分割型端子収容部２０が合体完了されることによって、仕切壁１１の表裏の面によって各分割型端子収容部２０の端子セット面２０Ｓ側の開口が塞がれ、各端子収容室３０が壁によって絶縁隔離される。
また、仕切壁１１の表裏面の面に設けられた４つの２次係止突起１１ｂによって、各インナー端子４０が電線挿通口３０ｂから抜けることが阻止されるように各端子収容室３０内に一括して係止される。
【００６０】
なお、この作業では、起立された仕切壁１１を第１分割型端子収容部２０Ａに向けて回動させ、２つの係止爪部２５、２５によって仕切壁１１を端子セット面２０Ｓ側の開口を塞いだ状態で係止するようにしてもよい。
【００６１】
次に、作業者は、アウター端子５０のアウター端子本体５１内所定位置にインナーハウジング１０を係止する（図１０（ｃ）参照）。
このとき、作業者は、アウター端子本体５１内所定位置にインナーハウジング１０を係止した状態でアウター端子５０のシールド圧着部５２をシールド電線７０の露出された編組７２に圧着する作業も実施する。
【００６２】
次に、作業者は、インナー端子４０およびアウター端子５０を装着されたシールド電線７０のアウター端子５０をコネクタハウジング６０のフード部６１内に収容し、シール部材保持収容部６２にシール部材Ｓをセットし、最後に、コネクタハウジング６０の電線引き出し口６０ａ側にリアホルダ６４を装着することによってシールドコネクタ１の組立作業が完了される。
【００６３】
本発明の実施例に係るシールドコネクタ１は、２つの分割型端子収容部２０が、互いの端子セット面２０Ｓが同方向に向けられた状態で仕切壁１１が端子セット面２０Ｓに対して起立され、かつ、４つの端子収容室３０が端子セット開口３０ａを横一列に並べた状態に配置されるので、４つのインナー端子４０は、端子セット面２０Ｓが向けられた一方向から端子収容室３０にそれぞれにセットすることができるので、４本の電線８０を若干屈曲させるだけでインナー端子４０のそれぞれを各端子収容室３０に容易にセットすることができ、結果的に、生産性を向上することができる。
【００６４】
また、本発明の実施例に係るシールドコネクタ１は、４つの端子収容室３０が内部に収容されたインナー端子４０が端子セット開口３０ａから浮き上がって端子収容室３０から離脱されることを、１次係止突起３２がインナー端子４０に当接されることによって阻止するので、端子セット面２０Ｓ側が開口された状態でヒンジ部１２を介して分割型端子収容部２０が可動されたとしても、インナー端子４０を端子収容室３０内に安定的に保持することができる。
【００６５】
また、本発明の実施例に係るシールドコネクタ１は、２つの分割型端子収容部２０が合体された状態で、４つの端子収容室３０に収容されたインナー端子４０が仕切壁１１に設けられた４つの２次係止突起１１ｂによって端子収容室３０の電線挿通口３０ｂから抜け出されることが阻止されるため、電線８０を引っ張るように外力が負荷された場合であっても、インナー端子４０を端子収容室３０内に安定的に保持することができ、しかも、２つの分割型端子収容部２０を合体させるというシールドコネクタ１の組立作業の一連の作業の中で、４つの２次係止突起によってインナー端子４０を４つの端子収容室３０内に一括して係止させることができる。
【００６６】
また、本発明の実施例に係るシールドコネクタ１は、端子セット開口３０ａが前端壁２２ａ、２２ｂの内側から電線挿通口３０ｂまでの連続して開口されているため、電線８０をより屈曲させずにインナー端子４０のそれぞれを各端子収容室３０に容易にセットすることができる。
【００６７】
本発明の実施例に係るシールドコネクタ１は、インナーハウジング１０が４つの端子収容室３０を有してなるものを例示したが、インナーハウジング１０に設けられる端子収容室３０の数は４つに限らない。シールド電線７０が有する電線８０の本数に応じた数であればよい。
【００６８】
また、本発明の実施例に係るシールドコネクタ１は、車載カメラに適用されるものを例示したが、これに限らず、その他の機器に適用しても構わない。
【００６９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００７０】
１              シールドコネクタ
１０            インナーハウジング
１１            仕切壁
１１ａ          壁本体部
１１ｂ          ２次係止突起
１１ｂｂ        当接面
１２            ヒンジ部
１３            端子挿入口
２０            分割型端子収容部
２０Ａ          第１分割型端子収容部（分割型端子収容部）
２０Ｂ          第２分割型端子収容部（分割型端子収容部）
２０Ｓ          端子セット面
２１ａ、２１ｂ  側壁
２２ａ、２２ｂ  前端壁
２３ａ、２３ｂ  底壁
２４ａ、２４ｂ  分割本体部
２５            係止爪部
２５ａ          起立壁部
２５ｂ          爪部
２６            ロック突起
２７            凹部
２８            ロックアーム
２８ａ          片状部
２８ｂ          突起嵌め込み開口
２９            平面部分
３０            端子収容室
３０ａ          端子セット開口
３０ｂ          電線挿通口
３１            隔壁
３２            １次係止突起
３２ａ          端子ガイド面
３２ｂ          当接面
４０            インナー端子
４１            相手端子接続部
４１ａ          端面
４２            圧着部
４３            繋ぎ部
４３ａ          上端縁面
５０            アウター端子
５１            アウター端子本体
５２            シールド圧着部
５２ａ          バレル片
６０            コネクタハウジング
６０ａ          電線引き出し口
６１            フード部
６２            シール部材保持収容部
６３          ロックアーム部
６４            リアホルダ
７０            シールド電線
７１            金属箔（被覆材）
７２            編組（被覆材）
７３            絶縁被覆材（被覆材）
８０            電線
８１            導体部
８２            絶縁被覆材
１００          接続相手コネクタ
１１０          コネクタ部
１１１          被ロック部
１２０          カメラ収容部
１２１          部品取付部
１２２          カメラカバー部
１２２ａ        レンズ
２００          車載カメラ
Ｓ              シール部材
【図１】
0006393709.tif 000002
【図２】
0006393709.tif 000003
【図３】
0006393709.tif 000004
【図４】
0006393709.tif 000005
【図５】
0006393709.tif 000006
【図６】
0006393709.tif 000007
【図７】
0006393709.tif 000008
【図８】
0006393709.tif 000009
【図９】
0006393709.tif 000010
【図１０】
0006393709.tif 000011